(57)【要約】【課題】  運転者が必要の無いと判断した交通情報を送信している外部送信機からの情報による割り込み処理を減少させるナビゲーション装置を提供する。【解決手段】  特定の外部送信機、例えば電波／光ビーコンよりビーコン受信ユニット２０が交通情報を受信し、割り込み処理が発生した場合、次回以降前記ビーコンからの情報を受信した際に表示するか否かの設定をリモコン１５より行い、非表示の設定がなされた場合、前記ビーコンの送信機番号をビーコンメモリ２２に登録し、通常時は次回以降ビーコンメモリ２２に登録してある路上ビーコンからの情報を受信した場合であっても割り込み処理を発生させず、地図画像上に受信した交通情報を重畳して表示することをしないが、経路案内時には一時的に前記設定の有無に関わらず割り込み処理を発生し、地図画像上に受信した交通情報を重畳して表示する。【選択図】  図１
2005172439.tif 000002
【特許請求の範囲】
【請求項１】
車両の現在位置を検出し、地図上に車両位置の表示を行い、目的地の検索及び経路案内と共に外部送信機より送信された情報を受信し、該情報を表示するナビゲーション装置において、
前記外部送信機からの情報を受信する受信部と、
該受信部より受信する情報の表示／非表示を指示する操作部と、
該操作部により非表示の指示がなされた場合、前記受信部より受信した情報中のうち所定の情報を記憶する記憶部と、
前記受信部より受信した情報の表示／非表示の制御を前記記憶部に記憶してある所定の情報の有無により表示の制御を行う表示制御部と、
該表示制御部の制御により前記外部送信機からの情報の表示を行う表示部と、
を備えた事を特徴とするナビゲーション装置。
【請求項２】
前記所定の情報は、外部送信機の送信機番号であることを特徴とする請求項１記載のナビゲーション装置。
【請求項３】
前記所定の情報は、外部送信機の設置位置情報であることを特徴とする請求項１記載のナビゲーション装置。
【請求項４】
経路誘導中は前記制御部による表示制御を行わない、ことを特徴とする請求項１〜３のいずれか記載のナビゲーション装置。
【請求項５】
車両の現在位置を検出し、地図上に表示を行うと共に外部送信機より送信された情報を受信し、該情報を表示するナビゲーション装置の外部情報表示方法において、
外部から情報を受信し、該情報の非表示が指示された場合、
受信した情報中のうち所定の情報を記憶し、
記憶した所定の情報の有無により受信した情報の表示／非表示の制御を行う、
ことを特徴とするナビゲーション装置の外部情報表示方法。
【発明の詳細な説明】
【技術分野】
【０００１】
本発明は外部からの情報の表示を行うナビゲーション装置及びナビゲーション装置の外部情報表示方法に関する。
【背景技術】
【０００２】
車両の走行案内を行い、ユーザーが所望の目的地に到達できるようにしたナビゲーション装置は、車両の位置を検出して、ハードディスク等の記憶媒体から車両位置周辺の地図データを読み出し、該地図データに基づき地図画像をディスプレイ画面に描画するとともに該地図画像上の所定箇所に車両位置マーク（自車位置マーク）を重ねて描画する。そして、車両の移動により現在位置が変化するに従い、画面の自車位置マークを移動したり、或いは自車位置マークを画面中央等の所定位置に固定し、地図をスクロールして、常に、車両位置周辺の地図情報が一目で判るようになっている。かかるナビゲーション装置は、出発地から目的地までの誘導経路を探索し、該誘導経路を地図上に表示するとともに交差点案内（交差点拡大図、進行方向の表示）を行う経路誘導機能を備えている。
【０００３】
従来のナビゲーション装置の外部情報の表示、とりわけ交通情報の表示においては、交通情報センターより路上の電波／光ビーコン、ＦＭ多重放送等により渋滞情報や交通規制情報等の各種交通情報が提供されている。これらの交通情報を受信する受信機を備えたナビゲーション装置では特定の交通情報を受信すると割り込み処理を発生し、地図画像上に受信した交通情報を重畳して表示している。
【０００４】
この交通情報には、交通情報を文字で表示するレベル１、交通情報を簡易図形により表示するレベル２、渋滞箇所を矢印等で地図画像上に表示するレベル３がある。
【０００５】
そして、交通情報のうち、渋滞情報に基づいて渋滞箇所を示す矢印を地図画像上に重畳して表示し、新規の交通情報を受信したとき、渋滞情報に変化があるときは矢印の線の太さを変えたり、矢印の線を実線から破線に変えるようにして運転者に渋滞箇所の変化が分かるように通知するナビゲーション装置も提案されている（例えば、特許文献１）。
【特許文献１】特開平９-２９２８３４号公報
【発明の開示】
【発明が解決しようとする課題】
【０００６】
しかしながら、従来のナビゲーション装置の交通情報の表示では、例えば運転者が頻繁に同じ道路を通っていて良く周辺の道路状況を知っており交通情報の表示の必要がない場合や、図６（ａ）に示すように特定の位置の電波／光ビーコンＢＰから送信される特定の道路の交通情報中に殆ど渋滞が無い場合でも交通情報を受信すると毎回割り込み処理を発生し、図６（ｂ）に示すように地図画像ＭＡ上に受信した交通情報ＴＩを重畳して表示するため、煩わしかった。
【課題を解決するための手段】
【０００７】
本発明によれば、外部送信機より外部の情報、例えば交通情報を受信し、割り込み処理が発生した場合、次回以降前記外部送信機からの情報を受信した際に表示するか否かの設定を行い、非表示の設定がなされた場合には次回以降その外部送信機からの情報を受信した場合であっても割り込み処理を発生させず、地図画像上に受信した交通情報を重畳して表示することをしないナビゲーション装置を提供することで上記課題を解決する。
【０００８】
又、本発明によれば、特定の外部送信機より外部の情報、例えば交通情報を受信し、割り込み処理が発生した場合、次回以降前記外部送信機からの情報を受信した際に表示するか否かの設定を行い、非表示の設定がなされた場合、通常時は次回以降その外部送信機からの情報を受信した場合であっても割り込み処理を発生させず、地図画像上に受信した交通情報を重畳して表示することをしないが、経路案内時には一時的に前記設定の有無に関わらず割り込み処理を発生し、地図画像上に受信した交通情報を重畳して表示するナビゲーション装置を提供することで上記課題を解決する。
【発明の効果】
【０００９】
以上、本発明によれば、特定の外部送信機より外部の情報を受信し、割り込み処理が発生した場合、次回以降前記外部送信機からの情報を受信した際に表示するか否かの設定を行い、非表示の設定がなされた場合には次回以降その外部送信機からの情報を表示しないので必要の無い情報の煩わしい割り込みが減少する。
【発明を実施するための最良の形態】
【００１０】
図１は本発明第１実施例のナビゲーション装置の構成図である。図中、１１は地図情報を記憶する地図記憶媒体で、例えばハードディスク（ＨＤ）、１２はＨＤ１１からの地図情報の読み取りを制御するＨＤ制御部、１３は車両の現在位置を測定する位置測定装置であり、移動距離を検出する車速センサー、移動方位を検出する角速度センサー、ＧＰＳレシーバ、位置計算用ＣＰＵ等で構成されている。１４はＨＤ１１から読み出した地図情報を記憶する地図情報メモリ、１５はメニュー選択操作、拡大／縮小操作、手動地図スクロール等の操作を行うリモコン、１６はリモコンインターフェースである。
【００１１】
１７はナビゲーション装置全体を制御するプロセッサ（ＣＰＵ）であり、リモコン１５からの操作指示により各種制御を行う。１８は各種プログラム（交通情報表示プログラム、誘導経路探索プログラム等）を記憶するＲＯＭ、１９は各種プログラムによる処理結果（交通情報表示／非表示設定、経路探索結果等）を記憶するＲＡＭ、２０は路上の電波／光ビーコンから交通情報を受信するビーコン受信ユニット、２１は後述するビーコンメモリの登録内容に応じてビーコン受信ユニット２０で受信した情報の表示を行うか否かを判定するビーコン判定部、２２はビーコン受信ユニット２０で受信した交通情報を今後表示しないという指示がリモコン１５からあった場合、そのビーコンの情報を登録するビーコンメモリである。
【００１２】
２３は地図画像を発生させるディスプレイコントローラ、２４はディスプレイコントローラ２３が発生した地図画像を記憶するビデオＲＡＭ、２５は目的地検索等のメニュー画像を発生するメニュー画像発生部、２６は探索された誘導経路を発生する誘導経路発生部、２７は自車位置マーク等を発生するマーク発生部、２８は各種画像を合成して出力する画像合成部、２９は画像合成部２８から出力される画像を表示する表示装置（ディスプレイ）、３０はバスである。
【００１３】
図２（ａ）は路上ビーコンからの送信データの構成例である。データフレームは伝送制御部（同期）、ヘッダ部、実データ部、伝送制御部（ＣＲＣ）構成されている。伝送制御部（同期）は路上ビーコンと図１に示したビーコン受信ユニット２０（図１）間の通信の同期を取るためのコードであり、ヘッダ部は各路上ビーコンに付与されている送信機番号等を含むヘッダである。実データ部は現在位置情報や交通情報等を含むデータであり、伝送制御部（ＣＲＣ）は誤り検出用のコードである。
【００１４】
上記したデータフレームは路上ビーコンから３８〜７６フレームで１つのサイクルとして送信されるようになっており、ナビゲーション装置を搭載した車両が路上ビーコンの受信エリアを通過する間に３サイクル程度の受信期間が確保できるようになっている。
【００１５】
図２（ｂ）は図１に示したビーコンメモリ２２の登録内容の構成図である。ビーコンメモリ２２にはビーコン受信ユニット２０で受信した特定の路上ビーコンからの交通情報を今後表示しないという指示がリモコン１５からあった場合、そのビーコンから送信された送信データ中のヘッダ部に含まれる送信機番号を登録するようになっている。図に示すように交通情報を今後表示しないという指示がリモコン１５からあった特定の路上ビーコンの送信機番号を順次登録していく。
【００１６】
図３は特定の路上ビーコンより交通情報を受信し、割り込み処理が発生した場合、次回以降前記ビーコンからの情報を受信した際に表示するか否かの設定を行う場合の表示例の説明図である。図３（ａ）の地図画像ＭＡに示す路上ビーコン受信地点ＢＰに自車位置ＭＡが進入し、ビーコン受信ユニットで路上ビーコン受信地点ＢＰに設置されている路上ビーコンからレベル２の交通情報を受信した場合、図３（ｂ）に示すように地図画像ＭＡ上に渋滞情報を表す簡易図形ＴＩと共に該路上ビーコンからの交通情報を今後表示しないように設定を行うボタンＮＢを表示装置２９に表示し、ボタンＮＢがリモコン１５により押下される指示が出された場合、ビーコンメモリ２２に該路上ビーコンの送信機番号を登録する。
【００１７】
図４はビーコンメモリ２２に登録した特定の路上ビーコンからの情報の表示を非表示設定から表示設定に戻す場合の表示例の説明図である。まず、リモコン１５よりメニュー表示の指示（図示せず）が行われると図４（ａ）に示すように、表示装置２９にメニュー画面ＭＩ１が表示され、表示されたメニュー画面ＭＩ１より例えば、ＶＩＣＳ設定の項目ＶＳがリモコン１５により選択されると図４（ｂ）に示すように、ＶＩＣＳの各設定を行うメニュー画面ＭＩ２が表示される。
【００１８】
表示されたメニュー画面ＭＩ２より、例えば非表示登録ビーコン情報という項目ＮＶがリモコン１５により選択されると図４（ｃ）に示すように、ＶＩＣＳの交通情報の非表示を行うビーコンの情報ＮＩが表示される。そして、この中からリモコン１５により解除ボタンＲＢが選択された場合、選択されたビーコンの情報をビーコンメモリ２２より削除する。又、ビーコンの名前だけではどこの路上ビーコンであるか判断がつかない場合も考えられるので地図ボタンＭＢを設け、地図ボタンＭＢが選択された場合はそのビーコンの設置位置を地図表示しても良い。
【００１９】
図５は本発明のナビゲーション装置の動作フローチャートである。
まず、ビーコン受信ユニット２０が路上ビーコンからの信号を受信したか否かにより受信エリアに入ったか否かを判定し（ステップ１０１）、受信エリアに入っていなければ特に処理は行わない。ステップ１０１において、受信エリアに入ったと判定された場合、ビーコン受信ユニット２０により路上ビーコンより送信されている交通情報データを受信する（ステップ１０２）。
【００２０】
ついで、受信した交通情報に緊急情報、例えば災害情報や事故情報が含まれているか否かをＣＰＵ１７が判定し（ステップ１０３）、緊急情報が含まれていないと判定した場合、誘導経路発生部２６より誘導経路が有るか否かをＣＰＵ１７が判定する（ステップ１０４）。ステップ１０４において、経路誘導をしていないと判定された場合、ステップ１０２において受信した交通情報中の送信機番号がビーコンメモリ２２に登録されているか否かをビーコン判定部２１により判定し（ステップ１０５）、登録済みであれば特に処理は行わない。一方、登録されていない場合には図３（ｂ）のようなビーコン登録画面を表示装置２９に表示する（ステップ１０９）。
【００２１】
次に、ステップ１０９において表示したビーコン登録画面中のボタンがリモコン１５により押下されたか否かをＣＰＵ１７が判定し（ステップ１１０）、押下されていなければステップ１０９でビーコン登録画面を表示してから所定時間、例えば１５秒経過したか否かをＣＰＵ１７が判定する（ステップ１１２）。ついで、１５秒経過した場合、ステップ１０９で表示したビーコン登録画面の表示をオフする（ステップ１０８）。一方、ボタンが押下された場合、ステップ１０２において受信した交通情報中の送信機番号をビーコンメモリ２２に登録する（ステップ１１１）。
【００２２】
ステップ１０３において、緊急情報が含まれていると判定された場合、又、ステップ１０４において、経路誘導中であると判定された場合、ビーコン受信ユニット２０で受信した交通情報を表示装置２９に表示し（ステップ１０６）、表示してから所定時間、例えば１５秒経過したか否かをＣＰＵ１７が判定し（ステップ１０７）、１５秒経過後に交通情報の表示をオフする（ステップ１０８）。
【００２３】
尚、上記実施例では路上ビーコンの送信機番号を登録し、送信機番号の有無で交通情報の表示／非表示の制御を行っているが、路上ビーコンの送信機番号ではなく路上ビーコンの設置位置情報等のビーコンを識別できるデータであれば本発明と同様なことが行える。
【００２４】
上述したように、本発明においては、外部送信機より交通情報を受信し、割り込み処理が発生した場合、次回以降前記外部送信機からの交通情報を受信した際に表示するか否かの設定を行い、非表示の設定がなされた場合には次回以降その外部送信機からの情報を表示しないので必要の無い情報の煩わしい割り込みが減少する。
【００２５】
又、本発明においては、外部送信機からの交通情報を受信した際に表示するか否かの設定を行い、非表示の設定がなされた場合であっても受信した情報中に緊急情報が含まれていた場合や、経路案内中は非表示の設定がなされた外部送信機からの情報も表示を行うため、必要な交通情報を見逃す事態を回避できる。
【図面の簡単な説明】
【００２６】
【図１】本発明のナビゲーション装置の構成である。
【図２】ビーコンからの送信データの構成及びメモリの登録例である。
【図３】ビーコンからの情報を受信した際の表示／非表示設定の表示例の説明図である。
【図４】ビーコンからの情報の表示を非表示設定から表示設定に戻す場合の表示例の説明図である。
【図５】本発明のナビゲーション装置の動作フローチャートである。
【図６】従来のナビゲーション装置の交通情報の表示説明図である。
【符号の説明】
【００２７】
１５・・・リモコン
２０・・・ビーコン受信ユニット
２２・・・ビーコンメモリ
【図１】
2005172439.tif 000003
【図２】
2005172439.tif 000004
【図３】
2005172439.tif 000005
【図４】
2005172439.tif 000006
【図５】
2005172439.tif 000007
【図６】
2005172439.tif 000008